(57)【要約】      （修正有）【課題】マイクロ波感知によるＬＥＤ電球を提供する。【解決手段】オス型接続端子２、ケース１、ＬＥＤ電球、ランプシェード３からなる。オス型接続端子２はケース１上端に設けられ、ＬＥＤ電球とランプシェード３はケース１下端に設けられる。ランプシェード３はＬＥＤ電球に覆設されて、さらにマイクロ波センサを備え、マイクロ波センサに覆設される。使用に便利なだけでなく、自動制御のニーズにも対応する。【選択図】図１
0003186700.tif 000002
【実用新案登録請求の範囲】
【請求項１】
オス型接続端子（２）、ケース（１）、ＬＥＤ電球、ランプシェード（３）からなり、オス型接続端子（２）はケース（１）上端に設けられ、前記ＬＥＤ電球とランプシェード（３）はケース（１）下端に設けられ、ランプシェード（３）は前記ＬＥＤ電球に覆設されたマイクロ波感知によるＬＥＤ電球であって、さらにマイクロ波センサを備え、ランプシェード（３）は前記マイクロ波センサに覆設されることを特徴とするマイクロ波感知によるＬＥＤ電球。
【請求項２】
前記ケース（１）はアルミニウム合金の放熱体であって、当該アルミニウム合金の放熱体の内部の端に上端と下端を連通する取り付け孔部（１０）を有し、前記アルミニウム合金の放熱体の外側壁に放熱フィン部（１１）が設けられ、前記オス型接続端子（２）は前記アルミニウム合金の放熱体の上端に設けられ、前記ＬＥＤ電球とランプシェード（３）は前記アルミニウム合金放熱体の下端に設けられることを特徴とする請求項１に記載のマイクロ波感知によるＬＥＤ電球。
【請求項３】
前記放熱フィン部（１１）の外側辺は湾曲した辺であることを特徴とする請求項２に記載のマイクロ波感知によるＬＥＤ電球。
【請求項４】
前記放熱フィン部（１１）の外側辺は円弧状の辺であることを特徴とする請求項３に記載のマイクロ波感知によるＬＥＤ電球。
【請求項５】
前記アルミニウム合金の放熱体の上端の面積は下端の面積より大きいことを特徴とする請求項４に記載のマイクロ波感知によるＬＥＤ電球。
【請求項６】
前記ランプシェード（３）はダイア型のシェードであることを特徴とする請求項１〜５のいずれか１項に記載のマイクロ波感知によるＬＥＤ電球。
【請求項７】
前記ランプシェード（３）は円柱型のシェードであることを特徴とする請求項１〜５のいずれか１項に記載のマイクロ波感知によるＬＥＤ電球。
【請求項８】
前記ランプシェード（３）は球型のシェードであることを特徴とする請求項１〜５のいずれか１項に記載のマイクロ波感知によるＬＥＤ電球。
【考案の詳細な説明】
【技術分野】
【０００１】
本考案は、マイクロ波感知によるＬＥＤ電球に関する。
【背景技術】
【０００２】
照明電球は都市の道路、庭園、歩道、車庫、オフィス、公共の場所等での照明に幅広く応用されており、人々の生活を様々に便利にしている。常用される照明電球のタイプにはタングステン電球、蛍光灯、及びＬＥＤ電球等があり、このうちＬＥＤ電球には高効率、安全、省エネルギー、環境保護、長い耐用年数、高速反応速度等の利点があり、次第に最も幅広く応用される照明電球となってきている。
【考案の概要】
【考案が解決しようとする課題】
【０００３】
しかしながら、前述した従来のＬＥＤ電球では、作業時に、ユーザがスイッチを操作してＬＥＤ電球の点灯や消灯を制御するのは非常に不便であり、また、自動制御の作業には適さない。
【０００４】
そこで、本考案者は上記の欠点が改善可能と考え、鋭意検討を重ねた結果、合理的設計で上記の課題を効果的に改善する本考案の提案に至った。
【０００５】
本考案は、このような従来の問題に鑑みてなされたものである。上記課題解決のため、本考案は、既存技術の欠点を改善したのみならず使用に便利で、さらに自動制御が可能なマイクロ波感知によるＬＥＤ電球を提供することを主目的とする。
【課題を解決するための手段】
【０００６】
上記課題を解決し、目的を達成するために、本考案に係るマイクロ波感知によるＬＥＤ電球はオス型接続端子（２）、ケース（１）、ＬＥＤ電球、ランプシェード（３）からなり、オス型接続端子（２）はケース（１）上端に設けられ、ＬＥＤ電球とランプシェード（３）はケース（１）下端に設けられ、ランプシェード（３）は前記ＬＥＤ電球に覆設されたマイクロ波感知によるＬＥＤ電球であって、さらにマイクロ波センサを備え、ランプシェード（３）は前記マイクロ波センサに覆設されることを特徴とする。
【０００７】
請求項２に記載のマイクロ波感知によるＬＥＤ電球は請求項１において、前記ケースはアルミニウム合金の放熱体であって、その内部に上端と下端を連通する取り付け孔部を有し、アルミニウム合金の放熱体の外側壁に放熱フィン部が設けられ、前記オス型接続端子はアルミニウム合金の放熱体の上端に設けられ、ＬＥＤ電球とランプシェードはアルミニウム合金放熱体の下端に設けられることを特徴とする。
【０００８】
請求項３に記載のマイクロ波感知によるＬＥＤ電球は請求項２において、前記放熱フィン部の外側辺は湾曲した辺であることを特徴とする。
【０００９】
請求項４に記載のマイクロ波感知によるＬＥＤ電球は請求項３において、前記放熱フィン部の外側辺は円弧状の辺であることを特徴とする。
【００１０】
請求項５に記載のマイクロ波感知によるＬＥＤ電球は請求項４において、前記アルミニウム合金の放熱体の上端の面積は下端の面積より大きいことを特徴とする。
【００１１】
請求項６に記載のマイクロ波感知によるＬＥＤ電球は請求項１〜５のいずれか１項において、前記ランプシェードはダイア型のシェードであることを特徴とする。
【００１２】
請求項７に記載のマイクロ波感知によるＬＥＤ電球は請求項１〜５のいずれか１項において、前記ランプシェードは円柱型のシェードであることを特徴とする。
【００１３】
請求項８に記載のマイクロ波感知によるＬＥＤ電球は請求項１〜５のいずれか１項において、前記ランプシェードは球型のシェードであることを特徴とする。
【考案の効果】
【００１４】
オス型接続端子、ケース、ＬＥＤ電球、ランプシェードからなり、オス型接続端子はケース上端に設けられ、ＬＥＤ電球とランプシェードはケース下端に設けられ、ランプシェードは前記ＬＥＤ電球に覆設されて、さらにマイクロ波センサを備え、ランプシェードは前記マイクロ波センサに覆設される。使用の際、マイクロ波センサは人体が移動するのを感知し、人体の移動を感知するとＬＥＤランプの点灯を制御し、人体の移動が感知できなくなるとＬＥＤランプの消灯を制御することで、自動制御の目的を達し、使用に便利だけでなく、自動制御のニーズにも対応する。
【図面の簡単な説明】
【００１５】
【図１】本考案の第１実施形態による構造を説明する概略図である。
【図２】本考案の第１実施形態によるケース構造を説明する概略図である。
【図３】本考案の第１実施形態の他の角度によるケースを説明する概略図である。
【図４】本考案の第２実施形態によるケース構造を説明する概略図である。
【考案を実施するための形態】
【００１６】
以下に図面を参照して、本考案を実施するための形態について、詳細に説明する。なお、本考案は、以下に説明する実施形態に限定されるものではない。
【００１７】
まず、本考案のマイクロ波感知によるＬＥＤ電球の第１実施形態について説明する。
（第１実施形態）
本考案の第１実施形態の構成を図１から図３に示す。図１から図３に示すようなマイクロ波感知によるＬＥＤ電球は、オス型接続端子２、ケース１、ＬＥＤ電球、ランプシェード３からなる。オス型接続端子２はケース１の上端に設けられ、ＬＥＤ電球とランプシェード３はケース１の下端に設けられる。ランプシェード３は前記ＬＥＤ電球に覆設されて、さらにマイクロ波センサを備え、前記マイクロ波センサに覆設される。本実施形態では前記ランプシェード３は球型のシェードであるが、当然ながら前記ランプシェード３はダイア型のシェードや円柱型のシェード、若しくはその他の形状のシェードでもよい。
【００１８】
この好ましい実施形態では、前記ケース１はアルミニウム合金の放熱体で、アルミニウム合金の放熱体の内部は上端と下端を連通した取り付け孔部１０を有し、アルミニウム合金の放熱体の外側壁には放熱フィン部１１が設けられ、放熱フィン部１１の外側辺は湾曲した辺で、アルミニウム合金の放熱体の上端の面積は下端の面積より大きく、全体の外形とＬＥＤ電球の外型は合理的に組合わされている。作業の際、ＬＥＤ電球から生じる大量の熱量はアルミニウム合金の放熱体より外部に放熱されるが、このうち、取り付け孔部１０と放熱フィン部１１の放熱效果が大幅に高められるため、ＬＥＤ電球の耐用年数が延ばされる。
【００１９】
以下に本考案のマイクロ波感知によるＬＥＤ電球の動作原理について、詳細に説明する。
【００２０】
マイクロ波センサには反応速度が速く感度の高い長所があり、使用の際、マイクロ波センサが人体の移動を感知し、人体の移動を感知するとＬＥＤランプの点灯を制御し、人体の移動が感知できなくなるとＬＥＤランプの消灯を制御することで、自動制御の目的を達し、スイッチに合わせて使用すれば柔軟性があり、使用に便利だけでなく、自動制御のニーズにも対応する。
【００２１】
次に、本考案のマイクロ波感知によるＬＥＤ電球の第２実施形態について説明する。
（第２実施形態）
図４に示すように、本実施形態と第１実施形態との相違点は、本考案のマイクロ波感知によるＬＥＤ電球は、放熱フィン部１１の外側辺が円弧状の辺にあり、同様にケース１全体の外型とＬＥＤ電球の外型を合理的に組合せることができる。また、勿論放熱フィン部１１の外側辺は他の形状でもよい。
【００２２】
上述の実施形態は本考案の技術思想及び特徴を説明するためのものにすぎず、当業者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、後述の請求項に含まれるものとする。
【符号の説明】
【００２３】
１  ケース、
２  オス型接続端子、
３  ランプシェード、
１０  取り付け孔部、
１１  放熱フィン部。
【図１】
0003186700.tif 000003
【図２】
0003186700.tif 000004
【図３】
0003186700.tif 000005
【図４】
0003186700.tif 000006